(57)【特許請求の範囲】
【請求項１】
対向配置されるローラー間に無端ベルトが巻回されるトレッドミルと該トレッドミルの下端部周りに設けられる集水シートとからなり、前記トレッドミルは、集水シートを該トレッドミル周りに引き上げる集水シート引き上げ手段を備え、貯水された浴槽中で集水シートを引き上げて浴槽内の貯水をトレッドミルの内側に集水し、貯水時より水位を高めた状態で水中歩行を可能とすることを特徴とする水中歩行装置システム。
【請求項２】
集水シート引き上げ手段は、一端が集水シートの複数の箇所に取り付けられた複数のワイヤーの他端を同時に巻き上げるものであることを特徴とする請求項１に記載の水中歩行装置システム。
【請求項３】
各ワイヤーの巻き上げは、トレッドミルに設けられたワイヤー巻き上げ用車に巻回させて行われるものであることを特徴とする請求項２に記載の水中歩行装置システム。
【請求項４】
トレッドミルに立設される両側枠の各々にワイヤー巻き上げ用車が設けられ、ワイヤー巻き上げ用車の各々は、集水シートに取り付けられたトレッドミルの一方側のワイヤーを巻き上げることを特徴とする請求項３に記載の水中歩行装置システ
ム。
【請求項５】
ワイヤー巻き上げ用車は、トレッドミルに設けられたワイヤー巻き上げ機構により同時に回転させられ、ワイヤーを巻回するものであることを特徴とする請求項４に記載の水中歩行装置システム。
【発明の詳細な説明】
【０００１】
【発明の属する技術分野】
本発明は、貯水された浴槽中において水位を高めた状態でトレッドミルを用いて水中歩行ができる水中歩行装置システムに関する。
【０００２】
【従来の技術】
従来から、肥満や運動不足の解消あるいはリハビリ等のため、対向配置されるローラー間に巻回される無端ベルトを回転させながらその上を歩行あるいは走行して運動できるトレッドミルが提供されている。トレッドミルを用いる運動を水中で行うことができれば、浮力の作用で下肢にかかる荷重が軽減され、関節に負担をかけることなく運動ができ、また、水の抵抗により足部は勿論のこと腹部等も効果的に鍛錬できる。そのため、トレッドミルはプールで用いられることがある。また、プールのような大きな施設の設置は容易ではなく高価でもあるため、スポーツクラブやリハビリテーション施設等で用いられるプールよりはるかに小さな専用の水槽内で水中歩行を行うことを可能とした水中歩行装置が提案されている。例えば、狭い水槽スペースで高価な設備を必要とすることなく長距離の水中歩行を可能とする水中歩行機（特許文献１参照）やプール等の施設のないスポーツクラブ等でも容易に導入できる水中歩行装置（特許文献２参照）が提案されている。
【０００３】
【特許文献１】
特開２０００−３００６９４号公報
【特許文献２】
特開平８−２０６２５１号公報
【０００４】
【発明が解決しようとする課題】
しかしながら、上記の専用の水槽は、プールより小さいものの家庭内で使用できるような大きさではなく、スポーツクラブやリハビリテーション施設等にわざわざ出掛けて水中歩行装置を使用しなければならないため、極めて煩雑で日常的に手軽に水中歩行装置を使用し難いという問題があった。また、専用の水槽を含めた水中歩行装置自体の費用も決して安価ではなかった。
【０００５】
そこで、本発明は、上記事情に基づきなされたもので、家庭内の浴槽で簡便に使用できる安価な水中歩行装置システムを提供することを課題とする。
【０００６】
【課題を解決するための手段】
上記課題を解決するため、本発明者は浴槽が各家庭にあることに着目して本発明を完成した。
すなわち、請求項１に記載の発明は、対向配置されるローラー間に無端ベルトが巻回されるトレッドミルと該トレッドミルの下端部周りに設けられる集水シートとからなり、前記トレッドミルは、集水シートを該トレッドミル周りに引き上げる集水シート引き上げ手段を備え、貯水された浴槽中で集水シートを引き上げて浴槽内の貯水をトレッドミルの内側に集水し、貯水時より水位を高めた状態で水中歩行を可能とすることを特徴とする水中歩行装置システムに関する。
【０００７】
上記構成の発明によれば、トレッドミルの下端部周りに設けられる集水シートがトレッドミル周りに引き上げられ、浴槽内の貯水はトレッドミル内に集水されるので、貯水時に膝辺りまでであった水位を腹部辺りまでに高めて水中歩行を行うことができ、足部のみならず腹部等も効果的に鍛錬できる。
【０００８】
また、請求項２に記載に発明は、請求項１に記載の発明において、集水シート引き上げ手段は、一端が集水シートの複数の箇所に取り付けられた複数のワイヤーの他端を同時に巻き上げるものであることを特徴とする水中歩行装置システムに関する。この発明によれば、トレッドミルの下端部周りに設けられた集水シートを同時にトレッド周りに引き上げることができるので、浴槽内のすべての貯水をトレッドミル内に集水できる。
【０００９】
また、請求項３に記載の発明は、請求項２に記載の発明において、各ワイヤーの巻き上げは、トレッドミルに設けられたワイヤー巻き上げ用車に巻回させて行われるものであることを特徴とする水中歩行装置システムに関する。この発明によれば、集水シートをトレッドミル周りに簡単に引き上げることができる。
【００１０】
また、請求項４に記載の発明は、請求項３に記載の発明において、トレッドミルに立設される両側枠の各々にワイヤー巻き上げ用車が設けられ、ワイヤー巻き上げ用車の各々は、集水シートに取り付けられたトレッドミルの一方側のワイヤーを巻き上げることを特徴とする水中歩行装置システムに関する。この発明によれば、すべての集水シートを同時に簡単に引き上げることができる。
【００１１】
また、請求項５に記載の発明は、請求項４に記載の発明において、ワイヤー巻き上げ用車は、トレッドミルに設けられたワイヤー巻き上げ機構により同時に回転させられ、ワイヤーを巻回するものであることを特徴とする水中歩行装置システムに関する。この発明によれば、簡単な操作で集水シートを引き上げることができる。
【００１２】
【発明の実施の形態】
以下、本発明を図面を参照しながら実施の形態により詳細に説明する。
本発明の水中歩行装置システム１００は、トレッドミル１０と集水シート７０とから構成され、図１はトレッドミルの斜視図で、図２は集水シートの平面図である。
【００１３】
トレッドミル１０は、図１に示すように支持台２０に支持され前方から後方に傾斜する枠体３０内に足載せ部３１が設けられ、該足載せ部３１には一対のローラー３２が対向して配設されている。また、ローラー３２間には、無端ベルト３３が巻回され、更に無端ベルトの内側には図示しない足載せボードが設けられている。支持台２０の底部には、図示しない吸着盤が形成されている。
【００１４】
枠体３０の前部には、前枠４０が立設され、枠体３０の側部には側枠４１が対向して立設されている。側枠４１には、水中歩行の際に把手できる把手部４２が設けられている。前枠４０の後方には、ワイヤー巻き上げ装置５０が設けられている。ワイヤー巻き上げ装置５０は、図３に示すように、中央に大径のかさ歯車５１が固着された回転軸５２と大径のかさ歯車５１と歯合する小径のかさ歯車５３とを備えている。また、回転軸５２は両側枠４１上で軸受５５に軸支され、回転軸５２の両端には、各々ワイヤー巻き上げ用車６０が固着されている。ワイヤー巻き上げ用車６０は、図４に示すように外周面に凹部を備えたベルト車６１が２個固着されてなるもので、個々のベルト車６１により巻き上げられたワイヤーＷを各々巻回できるようになっている。また、各ベルト車６１には、対向位置にワイヤーＷを係止する係止片６２が形成されている。
【００１５】
小径のかさ歯車５３は、ハウジング５４に軸支されている。ハウジング５４は、ワイヤー巻き上げ装置５０を収容し、両端部が側枠４１に固定されている。なお、上記のワイヤー巻き上げ装置５０とワイヤー巻き上げ用車６０が水中歩行装置システム１００における集水シート巻き上げ手段に相当する。
【００１６】
トレッドミル１０の下端部周りに設けられる集水シート７０は、平面視で図２に示す形状をなし、２枚の長形矩形部位７１と２枚の短形矩形部位７２はいずれも防水性と剛性のあるプラスチック等の素材により形成されている。また、長形矩形部位７１と短形矩形部位７２は、防水性と伸縮性を備え矩形部位７１、７２より薄く柔らかいプラスチック等の素材で形成される連結部位７３により連結されている。矩形部位７１、７２の点線で示すトレッドミル載置箇所７４と多数の折り曲げ箇所７５は、他の箇所より薄く形成されているので折り曲げ可能となっている。また、トレッドミル載置箇所７４の底面には、図示しない吸着盤が形成されている。
【００１７】
次いで、本装置システム１００の使用方法について説明する。まず、図５に示すように浴槽Ｂに集水シート７０を敷設する。敷設された集水シート７０は、浴槽の大きさ（内径）に対応した折り曲げ箇所７５で浴槽Ｂの内側面で折り曲げられる。トレッドミル１０は、トレッドミル載置箇所７４に載置される。各矩形部位７１、７２の上部左右の先端（図２中のＣ）にワイヤーＷの一端が取り付けられる。また、ワイヤーＷの他端は、ワイヤー巻き上げ用車６０の係止片６２に係止される。長形矩形部位７１に取り付けられたワイヤーＷの他端は、側枠４１の前後に各々形成された図７に示す略Ｌ字状のガイド部材８０を経由するようになっており、直角に曲げられてワイヤー巻き上げ用車６０に係止されるようになっている。ワイヤー巻き上げ用車６０の各々は、トレッドミル１０の一方側のワイヤーＷを巻回する。すなわち、図５（ｂ）で説明すると、右側のワイヤー巻き上げ用車６０の外側のベルト車６１は、右側の長形矩形部位７１の２箇所に取り付けられた２本のワイヤーWを巻回し、内側のベルト車６２は短形矩形部７２の右側の２箇所に取り付けられた２本のワイヤーＷを巻回する。
なお、図５（ｂ）に示すように、各矩形部位７１、７２はトレッドミル１０と平行をなして浴槽Ｂの内側面に配置され、また、連結部位７３は防水性と伸縮性があり薄くて柔らかい素材で形成されているので平面視で輪状をなすようにして矩形部位７１、７２を連結している。また、貯水は、集水シート７０の敷設に先立ち行っても、あるいは敷設後に行っても良い。
【００１８】
小径のかさ歯車５３に脱着自在に取り付けられた図示しない取っ手を用いて回転軸５２を回転させることによりワイヤー巻き上げ用車６０を回転させ、すべてのワイヤーＷを巻き上げることができる。長形矩形部位７１と短形矩形部位７２は、防水性と伸縮性があり薄くて柔らかい素材からなる連結部位７３により連結されており、更にトレッドミル載置箇所７４も折り曲げ可能となっているので、図７に示すようにワイヤーＷの巻き上げにより集水シート７０をトレッドミル１０周りに同時に引き上げることができる。集水シート７０が引き上げられたならば、図８に示すストッパー８１を長形矩形部位７１と側枠４１に挟み込む。ストッパー８１により、長形矩形部位７１を引き上げた状態に維持させ、これによりワイヤー巻き上げ用車６０の回転が規制されるので、いずれの矩形部位７１、７２も引き上げられた状態を維持できる。なお、ストッパー８１は、上部に把手部８２が形成されているので、把手部８２を上方に引くことにより簡単に集水シート７０の引き上げを解除でき、緊急時には容易にトレッドミル１０内の水位を低下させることができる。
【００１９】
このように集水シート７０が同時に引き上げられるので、浴槽Ｂ内の貯水のすべてをトレッドミル１０の内側に集水させることができ、トレッドミル１０内の水位は浴槽Ｂに貯水した時より高くすることができる。これにより、トレッドミル１０の使用者は、貯水時にせいぜい膝辺りであった水位を腹部辺りに高めた状態で水中歩行をすることができる。
【００２０】
また、集水シート７０とトレッドミル１０のいずれにも吸着盤が設けられているので、水中歩行する際にこれらが移動することがなく、安定して水中歩行を行うことができる。また、集水シート７０は、折り曲げ箇所が多数設けられているので、様々の大きさの浴槽に対応して水中歩行装置システム１００を使用できる。水中歩行装置システム１００におけるトレッドミル１０は、上記のように構成されるので、水中以外でも使用できる。
【００２１】
本発明は、その技術的範囲を逸脱しない限り種々形態を変更して具体化することができるので、以下に例示する。
（１）集水シート７０の矩形部位７１、７２は、折り曲げ箇所７５で折り曲げた際、浴槽Ｂの高さより高くなるように構成しても良く（本実施形態では浴槽Ｂと同じ高さ、図５ａ参照）、これにより集水シート７０の上端まで貯水させれば、より高い水位で水中歩行を行うことが可能となる。
（２）本実施形態の水中歩行装置システム１００と異なり、集水シート７０をトレッドミル周りに順次引き上げるような構成としても良いが、浴槽Ｂ内の貯水の一部が漏れ、すべての貯水を集水させられないので、本実施形態のように集水シート７０は同時に巻き上げることが好ましい。
（３）集水シート７０は、トレッドミル載置部７４を設けることなく、トレッドミル１０の下端部周りに矩形部７１、７２（連結部７３を含む）を着脱自在な構成とし、浴槽Ｂで使用する際に集水シート７０をトレッドミル１０に取り付ける構成としても良い。
（４）集水シートを該トレッドミル周りに引き上げることができる限り、本発明の集水シート引き上げ手段は上記の実施形態に限定されない。
【００２２】
【発明の効果】
本発明は、上記のように構成されるため、以下の効果を奏する。
本発明の水中歩行装置システムは、浴槽内で水位を高めた状態で水中歩行を行うことができるので、関節に負担をかけることなく足部のみならず腹部等も日常的に簡便かつ効果的に運動できる。また、本発明の水中歩行装置システムは、集水シートとトレッドミルのみで構成され、別途水槽を設けることが不要なので安価に水中歩行のできる装置システムを提供できる。
【図面の簡単な説明】
【図１】トレッドミルを示す斜視図である。
【図２】集水シートの平面図である。
【図３】ワイヤー巻き上げ装置とワイヤー巻き上げ用車を示す説明図である。
【図４】ワイヤー巻き上げ用車の正面図である。
【図５】浴槽に集水シートを敷設し、その上にトレッドミルを載置した状態の説明図で、（ａ）は正面図で（ｂ）は平面図である。
【図６】集水シートをトレッドミル周りに引き上げた状態の説明図で、（ａ）は正面図で（ｂ）は平面図である。
【図７】ガイド部材を示す斜視図である。
【図８】ストッパーを示す斜視図である。
【符号の説明】
１０           トレッドミル
３０           枠体
３３           足載せ部
４１           側枠
５０           ワイヤー巻き上げ装置
６０           ワイヤー巻き上げ用車
７０           集水シート
７１           長形矩形部位
７２           短形矩形部位
７３           連結部位
７４           トレッドミル載置部
７５           折り曲げ部位
８０           ガイド部材
８１           ストッパー
Ｗ             ワイヤー
Ｂ             浴槽
１００         水中歩行装置システム
【図１】
0003699700.tif 000002
【図２】
0003699700.tif 000003
【図３】
0003699700.tif 000004
【図４】
0003699700.tif 000005
【図５】
0003699700.tif 000006
【図６】
0003699700.tif 000007
【図７】
0003699700.tif 000008
【図８】
0003699700.tif 000009